【手続補正書】
【提出日】平成18年8月11日(2006.8.11)
【手続補正１】
【補正対象書類名】明細書
【補正対象項目名】全文
【補正方法】変更
【補正の内容】
【書類名】  明細書
【発明の名称】  眼血管新生疾患の処置方法
【特許請求の範囲】
【請求項１】  該血管新生疾患の処置または予防のための、式Ｉ
【化１】
2002522475.tif 000001
〔式中、
nは０から２、
RはHまたは低級アルキル；
Xはイミノ、オキサまたはチア；
Yは6から14の炭素原子を持つ非置換または1もしくはそれ以上の置換基で置換されたアリール;および
Zは非置換または置換ピリジルである〕
の化合物、またはそのN-オキシドもしくは塩。
【請求項２】  該血管新生疾患が脈絡膜および網膜血管新生である、請求項１記載の化合物。
【請求項３】  該血管新生疾患が滲出性加齢黄班変性症である、請求項１記載の化合物。
【請求項４】  該血管新生疾患が増殖性糖尿病性網膜症である、請求項１記載の化合物。
【請求項５】  該血管新生疾患が虚血性網膜症である、請求項１記載の化合物。
【請求項６】  nが０または１、
RがHまたは低級アルキル、
Xがイミノ、オキサまたはチア、
Yが、フェニル、ナフチル、フルオレニルまたはフェナントレニルであり、これらは非置換であるか、アミノ、モノ-もしくはジ-置換アミノ、ハロゲン、アルキル、置換アルキル、ヒドロキシ、エーテル化もしくはエステル化ヒドロキシ、ニトロ、シアノ、カルボキシ、エステル化カルボキシ、アルカノイル、カルバモイル、N-モノもしくはN,N-ジ置換カルバモイル、アミジノ、グアニジノ、メルカプト、スルフォ、フェニルチオ、フェニル-低級アルキルチオ、アルキルフェニルチオ、フェニルスルフィニル、フェニル-低級アルキルスルフィニル、アルキルフェニルスルフィニル、フェニルスルフォニル、フェニル-低級アルキススルフォニル、およびアルキルフェニルスルフォニルから選択される、もしくは前述の置換基群に替えてもしくはそれに加えて低級アルケニル、フェニル、低級アルキルチオ、低級アルカノイル、低級アルキルメルカプト、ハロゲノ-低級アルキルメルカプト、低級アルキルスルフォニル、ハロゲノ-低級アルキルスルフォニル、ジヒドロキシボラ、ヘテロシクリル、および環の隣接C原子に結合した低級アルキレンジオキシから選択される3つまでの置換基で置換されており、および
Zが、3-または4-ピリジルであり、ここで、該ピリジルは非置換であるか、または低級アルキル、ハロゲン、ハロゲン化低級アルキル、低級アルコキシ、ヒドロキシ、シアノ、アミノ、N-低級アルキルアミノおよびN,N-ジ−低級アルキルアミノを含む群からの1または2の置換基により互いに独立的に置換されている、請求項１記載の化合物。
【請求項７】  nが０または１、
RがH、
Xがイミノ、
Yが、フェニルであり、これは非置換であるか、または、アミノ、低級アルカノイルアミノ、ハロゲン、低級アルキル、ハロゲン-低級アルキル、ヒドロキシ、低級アルコキシ、フェニル-低級アルコキシおよびシアノを含む群からの１または２の置換基により互いに独立的に置換されており、および
Zが4-ピリジルであり、これは、非置換であるか、またはハロゲン、低級アルキル、ハロゲン-低級アルキル、ヒドロキシおよび低級アルコキシを含む群からの置換基により置換されている、請求項１記載の化合物。
【請求項８】  nが０または１、
RがH、
Xがイミノ、
Yがフェニル、2-、3-または4-アミノフェニル、2-、3-または4-アセチルアミノフェニル、2-、3-または4-フルオロフェニル、2-、3-または4-クロロフェニル、2-、3-または4-ブロモフェニル、2,3-、2,4-、2,5-または3,4-ジクロロフェニル、3-クロロ-4-フルオロフェニルのようなクロロフルオロフェニル、2-、3-または4-メチルフェニル、2-、3-または4-トリフルオロメチルフェニル、2-、3-または4-ヒドロキシフェニル、2-、3-または4-メトキシカルボニル、3-クロロ-4-メトキシカルボニルのようなメトキシクロロフェニル、2-、3-または4-ベンジルオキシフェニル、2-、3-または4-シアノフェニルであり、および
Zが4-ピリジルであり、これは、非置換であるか、または、フッ素、塩素、臭素、メチル、エチル、プロピル、トリフルオロメチル、ヒドロキシまたはメトキシで置換されている、請求項１記載の化合物。
【請求項９】  nが０、
Xがイミノ、
Yがフェニルであり、これは、非置換であるか、またはフッ素、塩素、メチル、トリフルオロメチル、ヒドロキシ、シアノまたはメトキシを含む群から選択される１の置換基により置換されており、および
Zが4-ピリジルであり、これは、非置換であるか、またはフッ素、塩素、メチル、トリフルオロメチル、ヒドロキシおよびメトキシを含む群から選択される置換基により置換される、請求項１記載の化合物。
【請求項１０】  該化合物が：
1-(4-クロロアニリノ)-4-(4-ピリジルメチル)フタラジン；
1-(3-クロロアニリノ)-4-(4-ピリジルメチル)フタラジン；
1-アニリノ-4-(4-ピリジルメチル)フタラジン；
1-ベンジルアミノ-4-(4-ピリジルメチル)フタラジン；
1-(4-メトキシアニリノ)-4-(4-ピリジルメチル)フタラジン；
1-(3-ベンジルオキシアニリノ)-4-(4-ピリジルメチル)フタラジン；
1-(3-メトキシアニリノ)-4-(4-ピリジルメチル)フタラジン；
1-(2-メトキシアニリノ)-4-(4-ピリジルメチル)フタラジン；
1-(4-トリフルオロメチルアニリノ)-4-(4-ピリジルメチル)フタラジン；
1-(4-フルオロアニリノ)-4-(4-ピリジルメチル)フタラジン；
1-(3-ヒドロキシアニリノ)-4-(4-ピリジルメチル)フタラジン；
1-(4-ヒドロキシアニリノ)-4-(4-ピリジルメチル)フタラジン；
1-(3-アミノアニリノ)-4-(4-ピリジルメチル)フタラジン；
1-(3,4-ジクロロアニリノ)-4-(4-ピリジルメチル)フタラジン；
1-(4-ブロモアニリノ)-4-(4-ピリジルメチル)フタラジン；
1-(3-クロロ-4-メトキシアニリノ)-4-(4-ピリジルメチル)フタラジン；
1-(4-シアノアニリノ)-4-(4-ピリジルメチル)フタラジン；
1-(4-メチルアニリノ)-4-(4-ピリジルメチル)フタラジン；
1-(3-クロロ-4-フルオロアニリノ)-4-(4-ピリジルメチル)フタラジン；
1-(3-メチルアニリノ)-4-(4-ピリジルメチル)フタラジン；および
薬学的に許容されるその塩
を含む群から選択される、請求項１記載の化合物。
【請求項１１】  該化合物が1-(4-クロロアニリノ)-4-(4-ピリジルメチル)フタラジンまたは薬学的に許容されるその塩である、請求項３記載の化合物。
【請求項１２】  該化合物が1-(4-クロロアニリノ)-4-(4-ピリジルメチル)フタラジンまたは薬学的に許容されるその塩である、請求項４記載の化合物。
【請求項１３】  式Ｉ
【化２】
2002522475.tif 000002
〔式中、nが０から２
RがHまたは低級アルキル；
Xがはイミノ、オキサまたはチア；
Yが6から14の炭素原子を持つ非置換または1もしくはそれ以上の置換基で置換されたアリール;および
Zが非置換または置換ピリジルである〕
の化合物、またはそのＮ−オキシドもしくは塩を含む、眼血管新生疾患の処置または予防用薬剤。
【発明の詳細な説明】
【０００１】
本発明は眼血管新生病の処置および予防のための医薬製剤の製造のための新規なフタラジン誘導体に閑する。さらにそのようなフタラジン誘導体による眼の病気の処置および予防にも関する。
【０００２】
（背景技術）
分化中の内皮細胞または発育中の胚における血管芽細胞からの新たな血管の形成(脈管形成)、および既存の血管からの新しい毛細血管の成長（血管形成）の２工程は、動物の器官および組織の血管系の発育に関連がある。
【０００３】
最近の発見により、胚発育および通常の成長中の間、ならびに広範な病理学的異常および病気の両方で、血管系およびその構成要素の成長および分化を制御しているネットワークの中心に、“血管内皮成長因子”(=VGEF)として知られた血管由来の因子が、その細胞性受容体とともにあることがわかっている。
【０００４】
これに対し、VEGF受容体は膜貫通受容体チロシンキナーゼである。それらは７免疫グロブリン様ドメインを持つ細胞外のドメイン、および細胞内チロシンキナーゼドメインによって特徴付けられている。例えばVEGFR-1、VEGFR-2およびVEGFR-3のような様々なタイプのVEGF受容体が知られている。
【０００５】
(発明の要約)
本発明により、以下にあげる式Ｉのフタラジン誘導体が、優れた薬理的特性を持っており、網膜血管新生および脈絡膜血管新生を含む眼血管新生を阻害することがわかった。
【０００６】
（詳細な説明）
本発明は、式１
【化３】
2002522475.tif 000003
〔式中、
nは０から２、
RはHまたは低級アルキル；
Xはイミノ、オキサまたはチア；
Yはアリール;および
Zは非置換または置換ピリジルである〕
の化合物、または、１またはそれ以上のN原子が酸素原子を担持している、式Ｉで定義された化合物のN-オキシドの、虚血性の網膜症、網膜血管新生および脈絡膜血管新生を含む眼血管新生疾患の処置のための成分の組成物における使用に関する。
【０００７】
さらに、そのような処置を必要とする個体に、前記で定義された式Ｉの化合物を投与することを含む、個体、特にヒトの、眼血管新生疾患、特に脈絡膜および網膜血管新生を処置する方法に関する。
【０００８】
前述および後述で指摘されるように、本化合物は虚血性網膜症、網膜血管新生および脈絡膜血管新生の処置に特に有用である。好ましくは網膜血管新生および脈絡膜血管新生の処置である。より好ましくは、網膜血管新生の処置である。脈絡膜血管新生の処置もより好ましい。
【０００９】
式Ｉの前述の化合物は、先行技術の化合物より概して５から１００倍より活性があることがわかった。その先行技術の化合物は調整されない血管発生の阻害に関連する。特に本化合物は概して先行技術の化合物より１０から５０倍より活性がある。この測定法は、独立して、効力および/または作用の期間に関係する。好ましくは効力である。
【００１０】
特記なき場合、本明細書の内容において、前述および後述の使用される一般的な用語は、好ましくは以下の意味を持っている。
【００１１】
“低級”の接頭辞は最大で７（7を含む）、特に最大で４（4を含む）の炭素原子を持ち、直鎖状、または単一もしくは複数の分枝を持つ分枝鎖状である基を表す。
【００１２】
化合物、塩等について複数形が使用されているところでは、これは単一の化合物、塩等をも意味する。
【００１３】
任意の不斉炭素原子(例えばn=1であり、Rは低級アルキルである式Ｉの化合物[またはそのN-オキシド]において）は、(R)-、(S)-または(R,S)-の立体配置であり得、好ましくは(R)-、または(S)-の立体配置である。二重結合または環における置換基は、シス-(=Z-)またはトランス(=E-)型でありうる。こうしてこの化合物は、異性体の混合物または純粋な異性体として、好ましくは鏡像異性的純粋なジアステレオマーとして存在しうる。
【００１４】
指数nは好ましくは0または1、特に0である。
低級アルキルは特にC1-C4アルキル、例えばn-ブチル、sec-ブチル、tert-ブチル、n-プロピル、イソプロピル、または特にメチルもしくはエチルである。
【００１５】
好ましい具体例において、アリールは6から14の炭素原子を持つ芳香族部分、特にフェニル、ナフチル、フルオレニルまたはフェナントレニルであり、これらの基は非置換であるか、または特にアミノ、モノ-もしくはジ-置換アミノ、ハロゲン、アルキル、置換アルキル、ヒドロキシ、エーテル化もしくはエステル化ヒドロキシ、ニトロ、シアノ、カルボキシ、エステル化カルボキシ、アルカノイル、カルバモイル、N-モノもしくはN,N-ジ置換カルバモイル、アミジノ、グアニジノ、メルカプト、スルフォ、フェニルチオ、フェニル-低級アルキルチオ、アルキルフェニルチオ、フェニルスルフィニル、フェニル-低級アルキルスルフィニル、アルキルフェニルスルフィニル、フェニルスルフォニル、フェニル-低級アルキススルフォニル、およびアルキルフェニルスルフォニルから選択される、もしくは(前述の置換基群に替えてもしくはそれに加えて）エテニルのような低級アルケニル、フェニル、メチルチオのような低級アルキルチオ、アセチルのような低級アルカノイル、メチルメルカプト(-S-CH3)のような低級アルキルメルカプト、トリフルオロメチルメチルメルカプト(-S-CF3)のようなハロゲン-低級アルキルメルカプト、低級アルキルスルフォニル、特にトリフルオロメタンスルフォニルのようなハロゲン-低級アルキルスルフォニル、ジヒドロキシボラ(-B(OH)2)、ヘテロシクリル、およびメチレンジオキシのような環の隣接C原子に結合した低級アルキレンジオキシから選択される1もしくはそれ以上の、好ましくは3まで、特に1もしくは2の置換基で置換されており；アリールは好ましくは非置換であるか、またはアミノ；低級アルカノイルアミノ、特にアセチルアミノ；ハロゲン、特にフッ素、塩素、もしくは臭素；低級アルキル、特にメチルもしくはエチルもしくはプロピル；ハロゲン-低級アルキル、特にトリフルオロメチル;ヒドロキシ;低級アルコキシ、特にメトキシもしくはエトキシ；フェニル-低級アルコキシ特にベンジルオキシ;およびシアノ、もしくは(前述の置換基群に替えてもしくはそれに加えて）C8-C12アルコキシ、特にn-デシルオキシ、カルバモイル、n-メチルもしくはn-tert-ブチルカルバモイルのような低級アルキルカルバモイル、アセチルのような低級アルカノイル、フェニルオキシ、トリフルオロメトキシもしくは1,1,2,2,-テトラフルオロエチルオキシのようなハロゲン-低級アルキルオキシ、エトキシカルボニルのような低級アルコキシカルボニル、メチルメルカプトのような低級アルキルメルカプト、トリフルオロメチルメルカプトのようなハロゲン-低級アルキルメルカプト、ヒドロキシメチルもしくは1-ヒドロキシメチルのようなヒドロキシ-低級アルキル、メタンスルフォニルのような低級アルキルスルフォニル、トリフルオロメタンスルフォニルのようなハロゲン-低級アルキルスルフォニル、フェニルスルフォニル、ジヒドロキシボラ(-B(OH)2)、2-メチルピリミジン-4-イル、オキサゾール-5-イル、2-メチル-1,3-ジオキソラン-2-イル、1H-ピラゾール-3-イル、1-メチル-ピラゾール-3-イル、およびメチレンジオキシのような2の隣接C原子に結合した低級アルキレンジオキシを含む群から選択される1または2の置換基により独立的に置換されるフェニルである。
【００１６】
前述または後述で、部分または置換基が、部分または置換基の前述の群“に替えてまたはそれに加えて”と述べられる場合、これらの部分または置換基およびその前述の群は、一緒になってそれからそれぞれの部分が選択され得る一つの置換基群として、または特に別々の群としてみなされうる。この表現はその表現に続く基のうちの一つが先の群のメンバーに結合により加えられ得るということを意味しない。これは“に替えてまたはそれに加えて”の表現が再び述べられていないとしても、部分または置換基について、ここで定義したように、以後定義される好ましい式Ｉの化合物に当てはまる。
【００１７】
モノ-またはジ-置換アミノは特に、メチルのような低級アルキル；2-ヒドロキシエチルのようなヒドロキシ-低級アルキル；フェニル-低級アルキル;アセチルのような低級アルカノイル; ベンゾイル；置換ベンゾイル(ここで、フェニル部分は、非置換であるか、またはニトロまたはアミノから、またはハロゲン、アミノ、N-低級アルキルアミノ、N,N-ジ-低級アルキルアミノ、ヒドロキシ、シアノ、カルボキシ、低級アルコキシカルボニル、低級アルカノイルおよびカルバモイルから選択される1またはそれ以上の、好ましくは1または2の置換基により特に置換されている)；およびフェニル-低級アルコキシカルボニル(ここで、フェニル部分は非置換であるか、またはニトロまたはアミノから、またはハロゲン、アミノ、N-低級アルキルアミノ、N,N-ジ-低級アルキルアミノ、ヒドロキシ、シアノ、カルボキシ、低級アルコキシカルボニル、低級アルカノイルおよびカルバモイルから選択される1またはそれ以上の、好ましくは1または2の置換基により特に置換されている)から互いに独立的に選択される1または2の部分により置換されるアミノである；好ましくはN-メチルアミノのようなN-低級アルキルアミノ、2-ヒドロキシエチルアミノのようなヒドロキシ-低級アルキルアミノ、ベンジルアミノのようなフェニル-低級アルキルアミノ、N,N-ジ-低級アルキルアミノ、N-フェニル-低級アルキル-N-低級アルキルアミノ、N,N-ジ-低級アルキルフェニルアミノ、アセチルアミノのような低級アルカノイルアミノであるか、または、ベンゾイルアミノおよびフェニル-低級アルコキシカルボニルアミノを含む群より選択される置換基であり、ここでフェニル部分は各場合、非置換であるか、またはニトロまたはアミノ、またはハロゲン、アミノ、N-低級アルキルアミノ、N,N-ジ-低級アルキルアミノ、ヒドロキシ、シアノ、カルボキシ、低級アルコキシカルボニル、低級アルカノイルまたはカルバモイル、または前記部分の群に替えてまたはそれに加えてアミノカルボニルアミノにより特に置換されている。
【００１８】
ハロゲンは好ましくはフッ素、塩素、臭素またはヨウ素、より好ましくはフッ素、塩素または臭素である。
【００１９】
好ましい具体例では、アルキルは最大で12までの炭素原子を持ち、好ましくは低級アルキル、より好ましくはメチル、エチル、n-プロピル、イソプロピルまたはtert-ブチルである。
【００２０】
置換アルキルは直前に定義されたアルキルであり、特に低級アルキル、好ましくはメチルである；ここで1またはそれ以上の、特に3までの、まずハロゲンから選択された群から、特にフッ素、およびアミノ、N-低級アルキルアミノ、N,N-ジ-低級アルキルアミノ、N-低級アルカノイルアミノ、ヒドロキシ、シアノ、カルボキシ、低級アルコキシカルボニル、およびフェニル-低級アルコキシカルボニルから選択される群からの置換基が存在し得る。特にトリフルオロメチルが好ましい。
【００２１】
エーテル化ヒドロキシは、特にn-デシルオキシのようなC8-C20アルキルオキシ、メトキシ、エトキシ、イソプロピルオキシまたはn-ペンチルオキシのような低級アルコキシ、ベンジルオキシまたはフェニルオキシのようなフェニル-低級アルコキシ、または前述の群に替えてまたはそれに加えて、n-デシルオキシのようなC8-C20アルキルオキシ、トリフルオロメチルオキシまたは1,1,2,2-テトラフルオロエトキシのようなハロゲン-低級アルコキシである。
【００２２】
エステル化ヒドロキシは、特に低級アルカノイルオキシ、ベンゾイルオキシ、tert-ブトキシカルボニルオキシのような低級アルコキシカルボニルオキシ、またはベンジルオキシカルボニルオキシのようなフェニル-低級アルコキシカルボニルオキシである。
【００２３】
エステル化カルボキシは特にtert-ブトキシカルボニルもしくはエトキシカルボニルのような低級アルコキシカルボニル、フェニル-低級アルコキシカルボニルまたはフェニルオキシカルボニルである。
【００２４】
アルカノイルはまずアルキルカルボニルであり、特に例えばアセチルのような低級アルカノイルである。
N-モノ-またはN,N-ジ置換カルバモイルは、低級アルキル、フェニル-低級アルキルまたはヒドロキシ-低級アルキルのような1または2の置換基で末端窒素原子において特に置換されている。
【００２５】
アルキルフェニルチオは特に低級アルキルフェニルチオである。
アルキルフェニルスルフィニルは特に低級アルキルフェニルスルフィニルである。
アルキルフェニルスルフィニルは特に低級アルキルフェニルスルフィニルである。
非置換ピリジルは好ましくは3-または4-ピリジルである。特に好ましくは4-ピリジルである。
【００２６】
置換ピリジルは好ましくは、低級アルキル、好ましくはメチル、エチル；ハロゲン好ましくはクロロ、フルオロ、ブロモ;ハロゲン化低級アルキル好ましくはトリフルオロメチル;低級アルコキシ好ましくはメトキシ、エトキシ;ヒドロキシ;シアノ;アミノ、N-低級アルキルアミノ、N,N-ジ-低級アルキルアミノから特に選択される1または2の置換基により置換される3-または4-ピリジルである。特に好ましくはメチル、クロロ、フルオロ、トリフルオロメチルまたはメトキシで置換された4-ピリジルである。
【００２７】
ヘテロシクリルは特に、窒素、酸素、および硫黄を含む群から選択された1または2のヘテロ原子を持つ5または6員からなる複素環式系であり、それは不飽和または完全にまたは部分的に飽和であり、非置換または特にメチルのような低級アルキルで置換されており；2-メチルピリミジン-4-イル、オキサゾール-5-イル、2-メチル-1,3-ジオキソラン-2-イル、1H-ピラゾール-3-イル、および1-メチル-ピラゾール-3-イルから選択された部分が好ましい。
【００２８】
2の隣接C原子に結合した、メチレンジオキシのような低級アルキレンジオキシにより置換されるフェニルの形態であるアリールは、好ましくは3,4-メチレンジオキシフェニルである。
【００２９】
式Ｉの化合物のN-オキシドは、好ましくはフタラジン環の窒素またはピリジン環の窒素が酸素原子を担持する、またはいくつかの該窒素原子が酸素原子を担持するN-オキシドである。
【００３０】
塩は特に式Ｉの化合物(またはN-オキシド)の薬学的に許容できる塩である。
【００３１】
塩基基または酸基が同一分子内で存在するとき、式Ｉの化合物（またはN-オキシド)は分子内塩をも形成しうる。
【００３２】
この新規な化合物の遊離型と、例えば新規な化合物の精製または同定において中間体として使用できるこれらの塩を含む、塩の形態の間における密接な関係の観点から、前述または後述の遊離化合物についての任意の言及は適当であり便利であるならば、対応する塩についても言及しているものとして理解されるべきである。
【００３３】
試験の背景
網膜は網膜のおよび脈絡膜の循環（それぞれは眼の動脈の分枝に起源している）から酸素供給されている非常に高い代謝活性を持った組織である。脈絡膜の循環は長いおよび短い後方の毛様体動脈に由来しており、強膜を貫通し、連続的に、脈絡毛細管、すなわち網膜の色素性の上皮(RPE)により網膜から分離される血管性シンチウムを与える小さい分枝を形成する。網膜の光受容体層は血管を持っておらず、酸素を脈絡膜毛細管からの拡散によって受け取っている。網膜の循環は中心網膜動脈に由来し、それは視神経を通って眼に入り、分枝して網膜の表面に沿う網膜細動脈を形成し、網膜の内部3分の2を通して貫通す分枝を放出し、表面および深部の網膜毛細血管床で終わる。
【００３４】
網膜の循環は最初は視神経のところに発達し網膜の周辺部に伸長する。このプロセスは発達の後期に起こり、人間においては出生の少し前に終わる。ラットおよびマウスを含むいくつかの種では網膜血管の発達は誕生後に完成される。このプロセスが生理学的な血管形成すなわち無血管組織への血管の成長、または脈管形成すなわち既存の前駆細胞からの血管の発達を表すかどうかは完全には明らかではないが、それは明らかに後ろから前への空間的な勾配に沿って起こる。無血管性末梢性網膜における低酸素状態は血管内皮成長因子(VEGF)の上方制御という結果となる。高酸素状態は網膜血管の発達を阻害し、実際、血管内皮細胞のアポトーシスのおかげでそれらを退行させるという結果となる。この退行はVEGFの下方制御を伴い、外生VEGFの投与により妨げられる。これらのデーターはVEGFは網膜血管の発達に重要な役割を果たしていることを示唆している。
【００３５】
高酸素誘導網膜血管退行の新生仔期の動物は、室空気中におかれたとき、網膜は著しい低酸素状態となり、VEGFが劇的に上方制御され、そして網膜血管新生に至る。この状況はヒトにおける未熟児網膜症(ROP)をモデルとするが、網膜血管が損傷閉塞し網膜虚血に至る大人のいくつかの病気の過程に当てはまる特徴も共有する。これらの病気はすべて虚血性網膜症に関連し、分枝網膜静脈の閉塞および、増殖性糖尿病網膜症を含む。それは先進国における60歳以下の重い視力障害の最も一般的な原因である。
【００３６】
虚血性網膜症のマウスの薬剤処置
虚血性網膜症はC57/BL6Jマウスにおいて次の方法で作られる：生後7日のマウスおよびその母を気密インキュベーターにおき、75±3%酸素環境に5日間さらす。インキュベーターの温度は23±2℃で、酸素は8時間ごとに酸素分析器で測定する。5日後そのマウスをインキュベーターから移動し室空気中に置き、薬剤処理を開始する。薬剤はその溶解性によってリン酸緩衝生食水(PBS)または1%ジメチルスルフォキシドに希釈し、それから最終濃度にPBSによって希釈する。媒体(コントロール)または様々な濃度の薬剤を含む媒体(容量=新生仔において50μlおよび成熟マウスにおいて100μl)を、胃の中に強制喫食させる。P17での処理の5日後マウスを屍殺し、眼を速やかに取り出し、最適カッティング温度である包埋化合物(OCT;Mikes Diagnostics, Elkhart, IN)において凍結、または10%リン酸緩衝フォルマリンで固定し、パラフィン包埋する。さらに成熟C57BL6Jマウスも薬剤または媒体で強制喫食により処置し、5日後、屍殺しその眼を凍結またはパラフィン切片のために加工する。
【００３７】
網膜血管新生の定量
薬剤処理およびコントロールのマウスの眼の凍結切片(10μm)を、内皮細胞に選択的に結合するビオチン化グリフォニアシンプリシフォリアレクチンB4(Vector Laboratories, Burlingame, CA)により組織化学的に染色する。スライドはメタノール/H2O2において4℃で30分間インキュベートし、0.05M TBSにより洗浄し、そして10%正常ブタ血清と30分間インキュベートする。スライドを0.05Mトリス緩衝生食水pH7.6(TBS)でリンスし、そして室温で2時間にビオチン化レクチンとインキュベートする。0.05M TBSによるリンスの後、ぺルオキシダーゼ結合アビジン(Vector Laboratories)と45分間室温下でインキュベートする。0.05M TBSにより10分間洗浄の後、スライドをジアミノベンジジンとインキュベートし茶色の反応産物を得る。いくつかのスライドはヘマトキシリンにより対比染色し、すべてサイトシールによりマウントする。
【００３８】
定量的評価を実施するために、10μmの連続的切片をそれぞれの眼について全長を通して切断する。眼全体はおおむね50-60μm離して染色切片としてサンプリングし、分析用の眼につき13切片を得た。レクチン染色切片はAxioskop顕微鏡(Zeiss, Thornwood, NY)により調査し、画像は3CCDカラービデオカメラ(IK-TU40A, 東芝, 東京, 日本)およびフレームグラバーを使用してデジタル化する。網膜表面上のレクチン染色細胞を線図化するためにイメージプロプラスソフトウェアー(Media Cybernetics, Silber Sprong, MD)を使用し、その面積を測定する。各眼につき13測定の平均を一つの実験値として使用する。
【００３９】
網膜血管発達中のマウスの薬剤処置
一腹児の新生C57/BL6Jマウスを処理群およびコントロール群に分け、それぞれ1日に10mg/kgの薬剤または媒体の皮下注射を受ける。P7またはP10においてマウスをエーテルにより麻酔にかけ、50mg/mlのフルオレセイン標識デキストラン(2×106平均mw, Sigma, St.Luis, MO)を含む1mlのリン酸緩衝生食水で灌流する。眼を取り出し、10%リン酸緩衝フォルマリンで1時間固定する。角膜およびレンズを取り出し網膜全体を注意深くアイカップから切開し、網膜の端から赤道に放射状に四分円状に切断し、そして光受容体が上方を向くようにアクアマウントにおいて平らにマウントする。平らにマウントされたものは蛍光顕微鏡により調査し、画像は3CCDカラービデオカメラ(IK-TU40A, 東芝, 東京, 日本)およびフレームグラバーを使用してデジタル化する。それぞれの四分円において視神経の中心から発達中の網膜血管の最先端に至る距離を測定するためにイメージプロプラスソフトウェアー(Media Cybernetics, Silber Sprong, MD)を使用し、平均を単一実験値として使用する。
【００４０】
脈絡膜血管新生のマウスの薬剤処置
脈絡膜血管新生は先に説明した技術の修飾により発生させる。簡単には、4から5週齢のオスのG57BL/6Jマウスを塩酸ケタミン(100mg/kg体重)により麻酔し、1%トロピカミドにより瞳孔を拡大する。クリプトンレーザー光凝固(100μスポットサイズ、0.1秒の時間、150mW)の3箇所の熱傷を、Coherent Model 920 Photocoagulatorのスリットランプデリバリーシステムおよびコンタクトレンズとしての手で持ったカバースライドを使用して各網膜に誘導する。熱傷は網膜の後極に、9、12および3時の位置に形成する。ブルッフ膜の破裂を示す、レーザー時のバブル形成は、CNVを獲得するうえで重要な要因であるので、全3箇所の熱傷についてバブルの形成されるマウスのみが試験に含まれる。10マウスが無作為に媒体のみの処理に割り当てられ、10マウスがテスト薬剤の内の一つを120μモル/kg/日含む媒体を強制喫食による経口投与により受ける。14日後ペントバルビタールナトリウムの過剰投与によりマウスを殺し、その眼を速やかに取り出し、最適切断温度である包埋化合物(OCT)に凍結する。
【００４１】
脈絡膜血管新生の定量
一連の凍結切片(10μm)を、それぞれの熱傷の全長にわたって切断し、内皮細胞に選択的に結合するビオチン化グリフォニアシンプリシフォリアレクチンB4(Vector Laboratories, Burlingame, CA)により組織化学的に染色する。スライドはメタノール/H2O2において4℃で30分間インキュベートし、0.05M TBSにより洗浄し、そして10%正常ブタ血清と30分間インキュベートする。スライドを0.05M TBSでリンスし、そして37℃で2時間ビオチン化レクチンとインキュベートする。0.05MTBSによるリンスの後、スライドをストレプタビジンフォスファターゼ(Kirkegaard and Perry Laboratories, Cabin John, MD)と30分間室温下でインキュベートする。0.05Mトリス緩衝液, pH7.6による10分間の洗浄の後、スライドをHistomark Red(Kirkegaard and Perry)において展開し赤色の反応産物を得、サイトシール(Stephens Scientific, Riverdale, NJ)でマウントする。いくつかのスライドはContrast Blue(Kirkegaard and Perry)により対比染色する。
【００４２】
定量的評価を実施するために、レクチン染色切片はAxioskop顕微鏡(Zeiss, Thornwood, NY)により調査し、画像は3CCDカラービデオカメラ(IK-TU40A, 東芝, 東京, 日本)およびフレームグラバーを使用してデジタル化する。網膜下空間のレクチン染色血管の面積を線図化および測定するために、イメージプロプラスソフトウェアー(Media Cybernetics, Silber Sprong, MD)を使用する。それぞれの病変について、幾分かの病変が見られるすべての切片につき面積測定を行い、一緒に加え合計測定面積を得る。値を平均しマウスあたりの単一の実験値を得る。不等分散について2サンプルt検定を実施し、処理群およびコントロール群のマウス間において合計面積平均のlogを比較する。
【００４３】
化学構造(CGP 79987D、CGP 57 148B およびCGP 53 716)の定義
【化４】
2002522475.tif 000004
【００４４】
相対的に選択的なチロシンキナーゼ阻害剤の同定
表１は標準的なチロシンキナーゼアッセイを使用して、様々な薬剤が、いくつかのチロシンキナーゼである受容体のキナーゼドメインのGST-融合タンパク質によりポリ(Glu Tyr)のリン酸化を阻害する能力を示している。CGP 79787DはヒトVEGF受容体１および２、およびPDGF受容体のキナーゼドメインによるリン酸化のよい阻害剤である；それはマウスVEGF受容体２の阻害剤としてはヒト受容体と比較して約１０倍低能力であるが、なお妥当な濃度(IC50=290nM)で阻害する。CGP 79787Dは試験されたすべての他のチロシンキナーゼのキナーゼドメインおよびセリン/トレオニンキナーゼによるリン酸化の低能力の阻害剤である(IC50＞1μM、表1)。CGP57 148BおよびCGP53 716は、PDGF受容体、BCR ABL、およびv-ABLのキナーゼドメインによるリン酸化の有力な阻害剤であり、VEGF受容体を含む他のRTKの阻害活性をほとんどまたは全くもたない。
【表１】
2002522475.tif 000005
【００４５】
インビトロ活性は薬剤が細胞に入ることを必要とするため、試薬は、いくつかのRTK遺伝子のうちの一つをトランスフェクトされたチャイニーズハムスター卵巣細胞を使用して、細胞自己リン酸化アッセイにおいて、試験される。CGP 79787DはVEGF受容体、PDGF受容体およびc-Kitの自己リン酸化を阻害するが、c-erbB2またはインシュリン受容体の低能力な阻害剤である。CGP 57 148BおよびDGP 53 716はPDGF受容体の有力な阻害剤であるが、VEGF受容体を含む試験された他の受容体の低能力な阻害剤である。こうして、CGP57 148BおよびCGP 53 716はより選択的でありPDGF受容体のみをブロックするが、CGP 79787Dは同じファミリー(クラスIII)に属する成長因子受容体のチロシンキナーゼ活性を阻害する。
【００４６】
CGP 79787Dは虚血性網膜症のマウスの網膜血管新生を阻害する(比較を含む結果の説明)
非虚血性P17マウスのグリフォニアシンプリシフォリアレクチン染色網膜は、表面および深部毛細血管床において、いくつかの接続する血管を持った正常血管を示す。虚血性網膜症のP17マウスでは、非虚血性網膜においては見られない、網膜上の大きな細胞塊を伴う網膜全体を染色する内皮細胞の面積の顕著な増大を示す。CGP79787Dで25mg/kg1日に2度処理された虚血性網膜症のP17マウスは、網膜内の内皮細胞の染色の劇的な減少を示し、それは媒体で処理したマウスより有意に少なく、非虚血性P17マウスよりも少ない。高倍率で、網膜表面上に同定可能な内皮細胞を認めることはなく、これは血管新生の完全な阻害があることを示している。内部核層および、深部毛細血管床が通常位置している外網状層における内皮細胞の染色の著しい欠損をも示す。CGP 79787Dで2.5mg/kg1日に2度処理された虚血性網膜症のP17マウスは減少された網膜の内皮細胞の染色を示し、媒体処理したコントロールより有意に少ない。内部核層における内皮の染色のいくらかの減少をも示す。0.25mg/kg処理された虚血性網膜症のP17マウスは網膜における全内皮の染色の減少を示し、それは統計的に有意ではなく内部核層における染色の同定可能な減少を示さない。使用されたCGP 79787Dの最高の用量に匹敵する用量において、2種の選択的なPDGF RTK阻害剤であるCGP 57 148BおよびCGP 53 716は、虚血性網膜症のマウスの網膜における内皮の染色における有意な減少を引き起こさない。ゲニステイン(4',5,7-トリヒドロキシイソフラボン)はRTKの比較的弱い、非特異的阻害剤である。CGP 79787Dの最高の用量に匹敵する用量において虚血性網膜症のマウスの網膜における内皮の染色における有意な減少を引き起こさない。
【００４７】
新生仔マウスを、10mg/kgのCGP 79787Dまたは媒体のみの注射によりP0に処理開始し、そしてP7またはP10にフルオレセイン標識デキストランで灌流し、網膜全体のマウントを準備する。P7において、媒体処理されたマウスの網膜血管は、ほとんど網膜周辺部の端に達していたが、CGP 79787D処理されたマウスにおいては周辺部への半分にしか伸長していない。P10において表面の毛細血管床は完全であり網膜の周辺の端にまで伸長しており、深部毛細血管床は部分的に発達している。しかしCGP 79787D処理されたマウスは表面の毛細血管床はまだ網膜の端まで達していなかった。これらの相違は高度に有意でありCGP 79787Dは網膜の血管発達および病理的網膜血管新生を阻害することを示している。
【００４８】
CGP 79787Dは成熟マウスの網膜血管に同定可能な影響を及ぼさない
酸素誘導虚血性網膜症における網膜血管新生を完全に阻害し、深部毛細血管床の発達も阻害する用量であるCGP 79787Dの50mg/kg/日で成熟マウスを処理する。CGP 79787D処理マウスにおいて、網膜における内皮の染色の総面積または網膜血管のみかけについて媒体処理されたマウスと比較して相違はない。これはCGP 79787Dは成熟血管の内皮細胞にとって毒性はないことを示している。
【００４９】
CGP 79787Dは成熟マウス脈絡膜血管新生を阻害する
レーザーの2週間後両群マウスのすべての損傷は網膜全体に大体同じ損傷を伴い、ブルッフ膜の不連続性を示した。すべての媒体のみで処理されたマウスは、レーザー誘導のブルッフ膜の破裂の各部位について、大面積の脈絡膜の血管新生を示した。新しい血管の周辺に沿ってRPE細胞の増殖が見られた。レクチンで染色された網膜血管は網膜全体に見られた。これに対し、CGP 79787Dを50mg/kg/日強制喫食により与えられたすべてのマウスには、レーザー誘導ブルッフ膜の破裂各部位に脈絡膜の血管新生はあったとしてもごくわずかであった。ほとんどの例では全熱傷を通して同定可能なレクチン染色血管新生組織はなかったが、いくつかの熱傷はレクチン染色組織の薄いディスクのある領域を含んでいた。RPE細胞のゆるい増殖があった。処理されたマウスの眼における脈絡膜の血管新生の顕著な減少にもかかわらず、覆っている網膜血管は正常であるように見えた。これは対比染色しない切片に最もよく見られる。
【００５０】
病変あたりのレクチン染色の合計面積の定量によって、媒体のみで処理されたマウスの損傷(0.0713812±0.0066723mm2)と比較して、CGP 79787Dで処理されたマウスにおいて劇的な減少(0.011243±0.0014829mm2)が示された。この相違は高度に有意(p=0.005;n=5)であった。
【００５１】
前述のデーターは酸素誘導虚血性網膜症のマウスモデルにおいてCGP 79787Dの経口処理により網膜血管新生の完全な阻害が達成が可能であることを示している。チロシンキナーゼ選択性データーに基づき、この化合物は少なくともマウスと同じ位、哺乳類、特にヒトにおいて、有効であろうことが期待される。
【００５２】
前述のデーターはVEGFシグナルの遮断は、成熟網膜または脈絡膜の血管に障害を与えないことを示している。
前述のデーターはVEGFシグナルの遮断は、網膜血管の発達を阻害することをも示している。
前述のデーターはVEGFシグナルの遮断は、脈絡膜の血管新生を阻害することを示している。
【００５３】
CGP 79787Dは増殖性糖尿病性網膜症および大人の網膜血管新生の他の原因の処置および予防に特に有用である。糖尿病性網膜症は先進国の若い患者においてもっとも一般的な失明の原因であるため、非常に大きな患者の集団が存在する。
CGP 79787Dは加齢滲出性黄班変性症および他の病気に起因する脈絡膜血管新生の処置および予防にも有用である。加齢黄班変性症は60歳以上のアメリカ人において法定失明の最も一般的な原因であるため、非常に大きな患者の集団が存在する。CGP 79787Dは眼血管新生病の処置および予防に有用である。
【００５４】
好ましい化合物
以下に述べられた式Ｉの好ましい化合物の群について、前述の一般的な定義からの置換基の定義は合理的に使用され得、例えば、より一般的な定義をより具体的な定義、特にまたは好ましいとして特徴付けられる定義とおきかえられうる。
【００５５】
好ましくは式Ｉ
〔式中、
nは０または１、
RはHまたは低級アルキル、特にHまたはメチル、
Xはイミノ、オキサまたはチア、
Yは非置換であるかまたは、アミノ；低級アルカノイルアミノ、特にアセチルアミノ;ハロゲン、特にフッ素、塩素または臭素;低級アルキル特にメチルまたはエチルまたはプロピル;ハロゲン-低級アルキル、特にトリフルオロメチル;ヒドロキシ;低級アルコキシ、特にメトキシまたはエトキシ;フェニル-低級アルコキシ、特にベンジルオキシ;およびシアノ、または(前記置換基群に替えてまたはそれに加えて)エテニルのような低級アルケニル、C8-C12アルコキシ、特にn-デシルオキシ、tert-ブトキシカルボニルのような低級アルコキシカルボニル、カルバモイル、N-メチル-またはN-tert-ブチルカルバモイルのような低級アルキルカルバモイル、アセチルのような低級アルカノイル、フェニルオキシ、トリフルオロメトキシまたは1,1,2,2,-テトラフルオロエチルオキシのようなハロゲン-低級アルキルオキシ、エトキシカルボニルのような低級アルコキシカルボニル、メチルメルカプトのような低級アルキルメルカプト、トリフルオロメチルメルカプトのようなハロゲン-低級アルキルメルカプト、ヒドロキシメチルのようなヒドロキシ-低級アルキル、メタンスルフォニルような低級アルキルスルフォニル、トリフルオロメタンスルフォニルのようなハロゲン-低級アルキルスルフォニル、フェニルスルフォニル、ジヒドロキシボラ、(-B(OH)2)、2-メチル-ピリミジン-4-イル、オキサゾール-5-イル、2-メチル-1,3-ジオキソラン-2-イル、1h-ピラゾール-3-イル、1-メチル-ピラゾール-3-イル、およびメチレンジオキシのような2の隣接C原子に結合した低級アルキレンジオキシを含む群からの1または2の置換基により互いに独立的に置換されるフェニルであり、またはピリジル、特に3-ピリジル;特にフェニル、2-、3-または4-アミノフェニル、2-、3-または4-アセチルアミノフェニル、2-、3-または4-フルオロフェニル、2-、3-または4-クロロフェニル、2-、3-または4-ブロモフェニル、2,3-、2,4-、2,5-または3,4-ジクロロフェニル、3-クロロ-4-フルオロフェニルのようなクロロフルオロフェニル、または4-クロロ-2-フルオロアニリノ、2-、3-または4-メチルフェニル、2-、3-または4-エチルフェニル、2-、3-または4-プロピルフェニル、3-フルオロ-4-メチルフェニルのようなメチルフルオロフェニル、2-、3-または4-トリフルオロメチルフェニル、2-、3-または4-ヒドロキシフェニル、2-、3-または4-メトキシフェニル、2-、3-または4-エトキシフェニル、3-クロロ-4-メトキシカルボニルのようなメトキシクロロフェニル、2-、3-または4-ベンジルオキシフェニル、2-、3-または4-シアノフェニルまたは2-、3-または4-ピリジルであり;および
Zは非置換であるか、またはハロゲンとくにフッ素、塩素または臭素;低級アルキル、特にメチルまたはエチルまたはプロピル；ハロゲン-低級アルキル,特にトリフルオロメチル;ヒドロキシ;低級アルコキシ、特にメトキシまたはエトキシを含む群からの1または2の置換基により互いに独立に置換される3-または4-ピリジルである〕
の化合物である。
【００５６】
特に好ましくは式Ｉ
〔式中、
nは０または１、
RはH、
Xはイミノ、
Yは非置換であるか、または、アミノ、低級アルカノイルアミノ、特にアセチルアミノ;ハロゲン、特にフッ素、塩素または臭素;低級アルキル特にメチル;ハロゲン-低級アルキル、特にトリフルオロメチル;ヒドロキシ;低級アルコキシ、特にメトキシ;フェニル-低級アルコキシ、特にベンジルオキシ;およびシアノ；特にフェニル、2-、3-または4-アミノフェニル、2-、3-または4-アセチルアミノフェニル、2-、3-または4-フルオロフェニル、2-、3-または4-クロロフェニル、2-、3-または4-ブロモフェニル、2,3-、2,4-、2,5-または3,4-ジクロロフェニル、3-クロロ-4-フルオロフェニルのようなクロロフルオロフェニル、2-、3-または4-メチルフェニル、2-、3-または4-トリフルオロメチルフェニル、2-、3-または4-ヒドロキシフェニル、2-、3-または4-メトキシカルボニル、3-クロロ-4-メトキシカルボニルのようなメトキシクロロフェニル、2-、3-または4-ベンジルオキシフェニル、または2-、3-または4-シアノフェニルを含む群からの1または2の置換基により互いに独立的に置換されるフェニルであり;および
Zは非置換であるか、またはハロゲンとくにフッ素、塩素または臭素;低級アルキル、特にメチルまたエチルまたはプロピル；ハロゲン-低級アルキル、特にトリフルオロメチル;ヒドロキシ;低級アルコキシ、特にメトキシを含む群からの置換基により置換される4-ピリジルである〕
の化合物である。
【００５７】
特に好ましくは式Ｉ
〔式中、
nは０または１、
RはH、
Xはイミノ、
Yは非置換であるか、または、ハロゲン、特にフッ素、塩素または臭素;低級アルキル特にメチル;ハロゲン-低級アルキル、特にトリフルオロメチル;ヒドロキシ;低級アルコキシ、特にメトキシ;シアノを含む群からの1または2の置換基により互いに独立的に置換されるフェニルであり;および
Zは非置換であるか、またはハロゲンとくにフッ素または塩素;低級アルキル、特にメチル；ハロゲン-低級アルキル、特にトリフルオロメチル;ヒドロキシ;低級アルコキシ、特にメトキシを含む群からの置換基により置換された4-ピリジルである〕
の化合物である。
【００５８】
特に好ましくは式Ｉ
〔式中、
nは０、
Xはイミノ、
Yは非置換であるか、または、フッ素、塩素;メチル;トリフルオロメチル;ヒドロキシ;シアノおよびメトキシを含む群から選択される一の置換基により置換されるフェニルであり;および
Zは非置換であるか、またはフッ素または塩素;メチル；トリフルオロメチル;ヒドロキシ;メトキシを含む群から選択される置換基により置換される4-ピリジルである〕
の化合物である。
【００５９】
特に好ましくは式Ｉ
〔式中、
nは０、
Xはイミノ、
Yは非置換または、フッ素、塩素;メチル;メトキシ；シアノおよびトリフルオロメチルを含む群から選択される一の置換基により置換されるフェニルであり;および
Zは非置換またはフッ素または塩素;およびメチルを含む群から選択される置換基により置換される4-ピリジルである〕
の化合物である。
【００６０】
1-(4-クロロアニリノ)-4-(4-ピリジルメチル)フタラジン；
1-(3-クロロアニリノ)-4-(4-ピリジルメチル)フタラジン；
1-アニリノ-4-(4-ピリジルメチル)フタラジン；
1-ベンジルアミノ-4-(4-ピリジルメチル)フタラジン；
1-(4-メトキシアニリノ)-4-(4-ピリジルメチル)フタラジン；
1-(3-ベンジルオキシアニリノ)-4-(4-ピリジルメチル)フタラジン；
1-(3-メトキシアニリノ)-4-(4-ピリジルメチル)フタラジン；
1-(2-メトキシアニリノ)-4-(4-ピリジルメチル)フタラジン；
1-(4-トリフルオロメチルアニリノ)-4-(4-ピリジルメチル)フタラジン；
1-(4-フルオロアニリノ)-4-(4-ピリジルメチル)フタラジン；
1-(3-ヒドロキシアニリノ)-4-(4-ピリジルメチル)フタラジン；
1-(4-ヒドロキシアニリノ)-4-(4-ピリジルメチル)フタラジン；
1-(3-アミノアニリノ)-4-(4-ピリジルメチル)フタラジン；
1-(3,4-ジクロロアニリノ)-4-(4-ピリジルメチル)フタラジン；
1-(4-ブロモアニリノ)-4-(4-ピリジルメチル)フタラジン；
1-(3-クロロ-4-メトキシアニリノ)-4-(4-ピリジルメチル)フタラジン；
1-(4-シアノアニリノ)-4-(4-ピリジルメチル)フタラジン；
1-(4-メチルアニリノ)-4-(4-ピリジルメチル)フタラジン；
1-(3-クロロ-4-フルオロアニリノ)-4-(4-ピリジルメチル)フタラジン；および
1-(3-メチルアニリノ)-4-(4-ピリジルメチル)フタラジン；
を含む群から選択された化合物が非常に好ましい。
【００６１】
本発明の化合物は以下の実施例において記述されるようにそれ自体知られる工程により製造されうる。
【００６２】
製剤、方法および使用
本発明は、有効成分として式Ｉの化合物(またはそのN-オキシド)を含み、かつ特に最初に述べた病気の処置に使用できる医薬組成物にも関する。温血動物への、特にヒトへの経鼻の、頬側の、直腸の、局所的な眼のまたは特に経口投与のような経腸投与、および静脈内の、筋肉内の、硝子体内の、結膜下のまたは皮膚下の投与のような非経腸投与用の、組成物が特に好ましい。その組成物は有効成分のみまたは好ましくは一緒に製薬的に許容される媒体を含む。その有効成分の用量は処置されるべき病気およびその種、その年齢、体重、およびその個体の状態、その個体の薬物動態学的なデーター、および投与の態様に依存する。
【００６３】
その医薬組成物はおよそ1％からおよそ95％の有効成分を含み、単一投与の形態は好ましい具体例としてはおよそ20％からおよそ90％の有効成分を含み、単一投与ではない形態は好ましい具体例としてはおよそ5％からおよそ20％の有効成分を含む。単位投与形態は例えばコートまたは非コート錠剤、アンプル、水薬ビン、座薬またはカプセルである。さらに投与形態は例えば軟膏、クリーム、ペースト、フォーム、チンキ、リップスティック、ドロップ、スプレー、分散剤等である。例は約0.05gから約1.0gの有効成分を含むカプセルである。
【００６４】
本発明の医薬組成物は、例えば通常の混合、顆粒化、コーティング、溶解または凍結乾燥工程のような方法により、それ自体知られた方法により製造される。
【００６５】
有効成分の溶液、および懸濁液または分散、特に等張の水性溶液、分散、または懸濁液の使用が好ましい。それは例えば有効成分のみまたは、例えばマンニトールのような媒体を一緒に含む凍結乾燥された組成物の場合は、使用前に調製することできる。その医薬組成物は無菌化され得、および/または例えば防腐剤、安定剤、湿潤剤および/または乳化剤のような賦形剤、溶解剤、浸透圧調節のための塩類および/またはバッファーを含み得、例えば通常の溶解および凍結乾燥工程のような方法により、それ自体知られた方法により製造される。該溶液または懸濁液は増粘剤、典型的にはカルボキシメチルセルロースナトリウム、カルボキシメチルセルロース、デキストラン、ポリビニルピロリドン、またはゼラチン、または例えばTween80[ポリオキシエチレン(20)ソルビタンモノオレエート;ICI Americas, Inc, USAの商標]のような溶解剤を含みうる。
【００６６】
適当な媒体は、特に例えばラクトース、サッカロース、マンニトールまたはソルビトールのような糖質、セルロース製剤、および/または例えばリン酸三カルシウムまたはリン酸水素カルシウムのようなリン酸カルシウムのような充填剤であり、および例えばコーン、小麦、米またはポテトスターチのようなスターチ、メチルセルロース、ヒドロキシプロピルメチルセルロース、カルボキシメチルセルロースナトリウム、および/またはポリビニルピロリドンのような結合剤、および/または所望により前述のスターチ、カルボキシメチルスターチ、架橋ポリビニルピロリドン、アルギン酸、またはアルギン酸ナトリウムのようなその塩のような崩壊剤である。付加的な賦形剤は特に例えばケイ酸、タルク、ステアリン酸、またはステアリン酸マグネシウムまたはカルシウムのようなその塩、および/またはポリエチレングリコールまたはその誘導体のようなフローコンディショナーおよび滑剤である。
【００６７】
経口投与用医薬組成物はゼラチンから成る硬カプセルをも含み、およびゼラチンおよびグリセロールまたはソルビトールのような可塑剤を含む軟密封カプセルをも含む。硬カプセルは例えばコーンスターチ、結合剤および/または滑沢剤のような充填剤との混合物として顆粒の形態で有効成分を含み得る。軟カプセルでは有効成分は好ましくは脂肪油、パラフィン油または液体ポリエチレングリコール、またはエチレンまたはプロピレングリコールの脂肪酸エステルのような適当な液体賦形剤に溶解または懸濁され、そこへ例えばポリオキシエチレンソルビタン脂肪酸エステル型のような安定剤および界面活性剤が加えられうる。
【００６８】
本発明は同様に、特に虚血性網膜症、網膜血管新生および脈絡膜血管新生を含む眼血管新生疾患の前記で説明した病理的状態の一つを処置するための過程または方法に関する。式Ｉの化合物(またはそのN-オキシド)は、そのような処置を必要とする例えばヒトのような温血動物に対し、該病気に対して有効な量で、それ自体、または特に医薬組成物の形態で予防的または治療的に投与されうる。約70kgの体重を持つ個体の場合、一日の投与される用量は本発明の化合物のおよそ0.1gからおよそ5g、好ましくはおよそ0.5gからおよそ2gである。
【００６９】
本発明は特に、前述の一またはそれ以上の病気、特に虚血性網膜症、網膜血管新生および脈絡膜血管新生を含む眼血管新生疾患の治療的および予防的管理のための、式Ｉの化合物(またはそのN-オキシド)または製薬上許容できるその塩、特に好ましいと述べた式Ｉの化合物、または薬学的に許容できるその塩の、それ自体、または少なくとも一つの薬学的に許容できる媒体との医薬製剤の形態としての使用にも関する。
【００７０】
本発明は特に、前述の一またはそれ以上の病気、特に虚血性網膜症、網膜血管新生および脈絡膜血管新生を含む眼血管新生疾患の治療的および予防的管理のための、式Ｉの化合物(またはそのN-オキシド)または薬学的に許容できるその塩、特に好ましいと述べた式Ｉの化合物、または薬学的に許容できるその塩の、それ自体、または少なくとも一つの薬学的に許容できる媒体との医薬製剤の形態としての使用にも関する。
【００７１】
本発明は特に、式Ｉの化合物(またはそのN-オキシド)または薬学的に許容できるその塩、特に好ましいと述べた式Ｉの化合物、または薬学的に許容できるその塩の、前述の一またはそれ以上の病気、特に虚血性網膜症、網膜血管新生および脈絡膜血管新生を含む眼血管新生疾患の治療的および予防的管理のための医薬製剤の製造のための使用にも関する。
【００７２】
各ケースにおいて使用される医薬製剤(薬)の好ましい投与量、組成および製造は前述している。
【００７３】
次の実施例はその範囲において本発明を限定することなく本発明を例示するために提供する。
【００７４】
温度は摂氏度によって測定する。特記なき場合反応は室温でおきる。
【００７５】
使用された短縮形および省略形は次の定義である。
DMSO              ジメチルスルフォキシド
ESI-MS            エレクトロンスプレーイオン化法質量分光法
エーテル          ジエチルエーテル
h                  時間
HV                高度真空
RE                ロータリーエバポレーター
RT                室温
m.p.              融解点
THF                テトラヒドロフラン
【００７６】
実施例１：1-(4-クロロアニリノ)-4-(4-ピリジルメチル)フタラジンジヒドロクロリド
1-クロロ-4-(4-ピリジルメチル)フタラジン15.22g(59.52mmol)(製造はGerman Auslegeschrift no.1061788[1959年7月23日に公開]参照)、4-クロロアニリン7.73g(60.59mmol)および1-ブタノール200mlの混合物を2時間加熱還流する。次いで混合物を緩やかに5℃に冷却するとき得られる結晶性物(crystallizate)をろ過し1-ブタノールおよびエーテルによって洗浄する。ろ過残さを約20ｍｌの熱いメタノールに溶解し、溶液を0.75gの活性炭で処理し、Hyflo Super Celを通してろ過し、そしてろ液のpHを7mlの３Nメタノール性HClによって約2.5に調節する。ろ液をもとの容量の半分になるまで蒸発させ、わずかな混濁が生じるまでエーテルを加える；冷却しそして結晶の沈殿を得る。結晶性物をろ過し、メタノール/エーテル(1:2)の混合物およびエーテルで洗浄し、HVのもと110℃8時間乾燥し、そして20℃、室環境内で72時間平衡させる。このようにして表題の水分含量8.6%の化合物が得られる；m.p.>270℃；1H NMR(DMSO-d6)11.05-12.20(br), 9.18-9.23(m, 1H), 8.88(d, 2H), 8.35-8.40(m, 1H), 8.18-8.29(m, 2H), 8.02(d, 2H), 7.73(d, 2H), 7.61(d, 2H), 5.02(s, 2H);ESI-MS:(M+H)+=347。
【００７７】
実施例２：1-(4-クロロアニリノ)-4-(4-ピリジルメチル)フタラジンヒドロクロリド
【化５】
2002522475.tif 000006
1-クロロ-4-(4-ピリジルメチル)フタラジン0.972g(3.8mmol)、4-クロロアニリンヒドロクロリド(Research Organics, Inc., Cleveland, Ohio, USA)0.656g(4mmol)およびエタノール20mlの混合物を2時間加熱還流する。反応混合物をアイスバスで冷却し、ろ過し、そして結晶性物を少量のエタノールおよびエーテルによって洗浄する。HVの下、110℃8時間および150℃10時間の乾燥の後、表題の化合物がHClの熱除去の結果として得られる；m.p.>270℃；1H NMR(DMSO-d6)9.80-11.40(br), 8.89-8.94(m, 1H), 8.67(d, 2H), 8.25-8.30(m, 1H), 8.06-8.17(m, 2H), 7.87(d, 2H), 7.69(d, 2H), 7.49(d, 2H), 4.81(s, 2H);ESI-MS:(M+H)+=347。
【００７８】
実施例３：1-(4-クロロアニリノ)-4-(4-ピリジルメチル)フタラジンヒドロクロリド
1-クロロ-4-(4-ピリジルメチル)フタラジン1.28g(5mmol)、4-クロロアニリン0.67g(5.25mmol)および1-ブタノール15mlの混合物を、窒素雰囲気下で撹拌しながら、100℃で0.5時間加熱する。混合物を次いで室温に冷却し、ろ過し、ろ液を1-ブタノールおよびエーテルで洗浄する。精製のために結晶性物を40ｍlの熱いメタノールに溶解し、溶液を活性炭で処理し、Hyflo Super Celを通してろ過し、ろ液をもとの容量の半分になるまで蒸発させ、結果として結晶性の沈殿物が形成される。0℃に冷却の後ろ過し、ろ過残さをエーテルで洗浄し、HVの下、130℃8時間乾燥し、表題の化合物が得られる；m.p.>270℃；1H NMR(DMSO-d6)9.80-11.40(br), 8.89-8.94(m, 1H), 8.67(d, 2H), 8.25-8.30(m, 1H), 8.06-8.17(m, 2H), 7.87(d, 2H), 7.69(d, 2H), 7.49(d, 2H), 4.81(s, 2H);ESI-MS:(M+H)+=347。
【００７９】
実施例４：1-(4-クロロアニリノ)-4-(4-ピリジルメチル)フタラジン
五酸化リン14.19g(0.1mol)、トリエチルアミンヒドロクロリド13.77g(0.1mol)および4-クロロアニリン12.76g(0.1mol)の混合物を、均質な融解物が形成されるまで(約20分)、窒素雰囲気下、200℃で加熱および撹拌する。融解物に4-(4-ピリジルメチル)-1(2H)-フタラジン5.93g(0.025mol) (製造はGerman Auslegechrift no.1061788[1959年7月23日に公開]参照)を加え、反応混合物を200℃で3時間撹拌する。反応混合物を約100℃に冷却した後、200mlの水を加える。温度が約30℃に達するまで撹拌を継続し、次いで、20mlの濃アンモニア(30％水酸化アンモニウム水溶液)および900mlのクロロフォルムを連続的に加える。二相性の混合物が形成されるとすぐに有機相を分離し、無水硫酸ナトリウムで乾燥し、ろ過し、REでろ液を約50mlの容量となるまで蒸発させる。それに100mlのアセテートを加え混合物をアイスバスで冷却する。得られた結晶性物をろ過し、アセテートおよびエーテルによって洗浄する。メタノールからの再結晶の後、HV下で120℃8時間乾燥し、表題の化合物が得られる；m.p.194-195℃；ESI-MS:(M+H)+=347。